(57)【要約】【課題】省電力モードが設定されたときに消費電力を一層低減することが可能な給湯装置を提供すること。【解決手段】メインリモコン５０の表示消灯スイッチ５３がオンされ省電力モードが設定されたときには、メイン制御回路１１は、制御回路５１を介してメインリモコン５０の表示部５２を消灯もしくは省電力表示するとともに、制御回路７１を介して浴室リモコン７０の表示部７２を消灯する。したがって、メインリモコン５０の表示部５２のみを省電力モードとする場合よりも消費電力を低減することが可能である。【選択図】        図１
2004245557.tif 000002
【特許請求の範囲】
【請求項１】
給湯装置本体部（１）の作動状態に関する情報を表示する第１の表示部（５２）と、前記第１の表示部（５２）を省電力モードに設定する省電力モード設定手段（５３）とを有する第１の遠隔制御手段（５０）と、
前記給湯装置本体部（１）の作動状態に関する情報を表示する第２の表示部（７２）を有する第２の遠隔制御手段（７０）とを備える給湯装置において、
前記省電力モード設定手段（５３）により前記省電力モードが設定されたときには、前記第１の表示部（５２）および前記第２の表示部（７２）を消灯もしくは省電力表示するように制御する制御手段（１１、２１、５１、７１）を備えることを特徴とする給湯装置。
【請求項２】
前記制御手段（１１、２１、５１、７１）は、前記省電力モード設定手段（５３）により前記省電力モードが設定されているときには、前記省電力モードである旨の表示（５３１）を点灯することを特徴とする請求項１に記載の給湯装置。
【請求項３】
前記制御手段（１１、２１、５１、７１）は、前記省電力モード設定手段（５３）により前記省電力モードが設定され、かつ前記給湯装置本体部（１）が作動状態もしくは作動指令入力状態である場合には、前記第１の表示部（５２）が前記作動状態もしくは作動指令入力状態である旨の表示をするように制御することを特徴とする請求項１または請求項２に記載の給湯装置。
【請求項４】
前記制御手段（１１、２１、５１、７１）は、前記省電力モード設定手段（５３）により前記省電力モードが設定されている場合には、前記第２の表示部（７２）が消灯するように制御することを特徴とする請求項３に記載の給湯装置。
【請求項５】
前記制御手段（１１、２１、５１、７１）は、前記省電力モード設定手段（５３）により前記省電力モードが設定され、かつ前記給湯装置本体部（１）が作動状態もしくは作動指令入力状態である場合には、前記第２の表示部（７２）が前記作動状態もしくは作動指令入力状態である旨の表示をするように制御することを特徴とする請求項３に記載の給湯装置。
【請求項６】
前記制御手段（１１、２１、５１、７１）は、前記作動状態もしくは作動指令入力状態に応じて、前記作動状態もしくは作動指令入力状態である旨の表示を変更することを特徴とする請求項３ないし請求項５のいずれか１つに記載の給湯装置。
【請求項７】
前記制御手段（１１、２１、５１、７１）は、前記省電力モード設定手段（５３）により前記省電力モードが設定されているときに、前記給湯装置本体部（１）の作動もしくは作動指令入力が停止して所定時間経過した場合には、前記第１の表示部（５２）および前記第２の表示部（７２）が消灯するように制御することを特徴とする請求項３ないし請求項６のいずれか１つに記載の給湯装置。
【発明の詳細な説明】
【０００１】
【発明の属する技術分野】
本発明は、台所や浴室等に設置される複数の遠隔制御手段を備える給湯装置に関する。
【０００２】
【従来の技術】
従来から、例えば屋外等に設置される給湯装置の本体部と、台所等に設置される第１の遠隔制御手段（所謂メインリモコン装置）と、浴室等に設置される第２の遠隔制御手段（所謂サブリモコン装置）とを備える給湯装置がある。
【０００３】
このような給湯装置としては、第１の遠隔制御手段が、本体部の作動状態に関する情報（本体部の作動や本体部への作動指令等）を表示する表示部と、この表示部を省電力モードに設定する省電力モードスイッチとを有し、第２の遠隔制御手段が、本体部の作動状態に関する情報を表示する表示部を有するものが知られている。
【０００４】
そして、第１の遠隔制御手段の省電力モードスイッチを操作して省電力モードを設定すると、第１の遠隔制御手段の表示部を消灯して消費電力を低減するようになっている。
【０００５】
【発明が解決しようとする課題】
しかしながら、上記従来の給湯装置では、第１の遠隔制御手段の省電力モードスイッチを操作して省電力モードを設定したときに、第２の遠隔制御手段の表示部は点灯状態を継続し電力を消費している。特に、第２の遠隔制御手段の表示部が、浴室内での視認性が高い蛍光表示管等により構成されている場合には、この表示部の電力消費が無視できないものとなる。
【０００６】
本発明は、上記点を鑑みてなされたものであって、消費電力を一層低減することが可能な給湯装置を提供することを目的とする。
【０００７】
【課題を解決するための手段】
上記目的を達成するため、請求項１に記載の発明では、
給湯装置本体部（１）の作動状態に関する情報を表示する第１の表示部（５２）と、第１の表示部（５２）を省電力モードに設定する省電力モード設定手段（５３）とを有する第１の遠隔制御手段（５０）と、
給湯装置本体部（１）の作動状態に関する情報を表示する第２の表示部（７２）を有する第２の遠隔制御手段（７０）とを備える給湯装置において、
省電力モード設定手段（５３）により省電力モードが設定されたときには、第１の表示部（５２）および第２の表示部（７２）を消灯もしくは省電力表示するように制御する制御手段（１１、２１、５１、７１）を備えることを特徴としている。
【０００８】
これによると、省電力モードが設定されたときには、第１の表示部（５２）および第２の表示部（７２）をともに消灯もしくは省電力表示することで、消費電力を一層低減することが可能である。
【０００９】
また、請求項２に記載の発明では、制御手段（１１、２１、５１、７１）は、省電力モード設定手段（５３）により省電力モードが設定されているときには、省電力モードである旨の表示（５３１）を点灯することを特徴としている。
【００１０】
これによると、この表示（５３１）の点灯により、省電力モードに設定されていることを容易に確認することができる。
【００１１】
また、請求項３に記載の発明では、制御手段（１１、２１、５１、７１）は、省電力モード設定手段（５３）により省電力モードが設定され、かつ給湯装置本体部（１）が作動状態もしくは作動指令入力状態である場合には、第１の表示部（５２）が前記作動状態もしくは作動指令入力状態である旨の表示をするように制御することを特徴としている。
【００１２】
これによると、第１の表示部（５２）において、給湯装置本体部（１）が作動状態もしくは作動指令入力状態であることを容易に告知することができる。
【００１３】
また、請求項４に記載の発明では、請求項３に記載の発明において、制御手段（１１、２１、５１、７１）は、省電力モード設定手段（５３）により省電力モードが設定されている場合には、第２の表示部（７２）が消灯するように制御することを特徴としている。
【００１４】
これによると、第２の表示部（７２）を消灯することで、消費電力を確実に低減することが可能である。
【００１５】
また、請求項５に記載の発明では、請求項３に記載の発明において、制御手段（１１、２１、５１、７１）は、省電力モード設定手段（５３）により省電力モードが設定され、かつ給湯装置本体部（１）が作動状態もしくは作動指令入力状態である場合には、第２の表示部（７２）が前記作動状態もしくは作動指令入力状態である旨の表示をするように制御することを特徴としている。
【００１６】
これによると、第２の表示部（７２）においても、給湯装置本体部（１）が作動状態もしくは作動指令入力状態であることを容易に告知することができる。
【００１７】
また、請求項６に記載の発明では、制御手段（１１、２１、５１、７１）は、給湯装置本体部（１）の作動状態もしくは作動指令入力状態に応じて、前記作動状態もしくは作動指令入力状態である旨の表示を変更することを特徴としている。
【００１８】
これによると、作動状態もしくは作動指令入力状態に応じて表示内容を変更し、作動内容もしくは作動指令入力内容を告知することが可能である。
【００１９】
また、請求項７に記載の発明では、制御手段（１１、２１、５１、７１）は、省電力モード設定手段（５３）により省電力モードが設定されているときに、給湯装置本体部（１）の作動もしくは作動指令入力が停止して所定時間経過した場合には、第１の表示部（５２）および第２の表示部（７２）が消灯するように制御することを特徴としている。
【００２０】
これによると、給湯装置本体部（１）の作動もしくは作動指令入力が停止した後、消費電力を一層確実に低減することができる。
【００２１】
なお、上記各手段に付した括弧内の符号は、後述する実施形態記載の具体的手段との対応関係の一例を示す。
【００２２】
【発明の実施の形態】
以下、本発明の実施の形態を図に基づいて説明する。
【００２３】
図１は本実施形態の給湯装置の概略構成を示すブロック図である。
【００２４】
１（一点鎖線で囲んだ範囲）は本実施形態における給湯装置の本体部であり、本体部１は屋外の適所に配置されている。５０は本実施形態における第１の遠隔制御手段であるメインリモコンであり、７０は本実施形態における第２の遠隔制御手段である浴室リモコンである。メインリモコン５０は屋内の適所（例えば台所等）に配設され、浴室リモコン７０は浴室内に配設されている。
【００２５】
給湯装置の本体部１は、二酸化炭素を冷媒とする加熱手段としてのヒートポンプユニット２０と、このヒートポンプユニット２０により加熱された（沸き上げられた）湯を蓄える図示しない貯湯タンクを有する貯湯ユニット１０とを備えている。
【００２６】
そして、貯湯タンク内の湯は、図示しない給湯配管を介して下流側にあるカラン、シャワー等に給湯されるとともに、図示しない浴槽内への湯張り手段により湯張りされるようになっている。また、貯湯ユニット１０は、浴槽内の浴水を、貯湯タンク内の湯と熱交換して加熱する図示しない浴水加熱手段を備え、この浴水加熱手段により浴水を保温できるようになっている。
【００２７】
貯湯ユニット１０はメイン制御回路１１を備え、ヒートポンプユニット２０は制御回路２１を備えている。メイン制御回路１１は、記憶された制御フローや後述するメインリモコン５０の制御回路５１、浴室リモコン７０の制御回路７１からの信号に基づいて、必要に応じて制御回路２１に信号を出力しヒートポンプユニット２０を運転制御するとともに、制御回路２１からヒートポンプユニット２０の運転作動状態に関する信号を入力するようになっている。
【００２８】
また、メイン制御回路１１は、上記制御回路５１、７１からの信号に基づいて、貯湯ユニット１０の湯張り手段、浴水加熱手段等を作動制御するとともに、制御回路５１、７１に対し、給湯装置の本体部１（貯湯ユニット１０およびヒートポンプユニット２０）の作動状態に関する信号を出力するようになっている。
【００２９】
本体部１とメインリモコン５０、浴室リモコン７０との信号伝達には、信号伝達媒体として有線、電波、光、超音波等を用いることが可能であり、本実施形態では有線を採用している。
【００３０】
メインリモコン５０は、制御回路５１を備え、制御回路５１には、本実施形態における省電力モード設定手段である表示消灯スイッチ５３、各種作動指令入力手段としてのスイッチ５４、および本実施形態における第１の表示部である表示部５２が連携している。そして、制御回路５１は、メイン制御回路１１に対し各スイッチ５３、５４の操作情報を出力するとともに、メイン制御回路１１から入力する信号に基づいて表示部５２等を表示制御するようになっている。
【００３１】
また、浴室リモコン７０は、制御回路７１を備え、制御回路７１には、各種作動指令入力手段としてのスイッチ７４、および本実施形態における第２の表示部である表示部７２が連携している。そして、制御回路７１は、メイン制御回路１１に対しスイッチ７４の操作情報を出力するとともに、メイン制御回路１１から入力する信号に基づいて表示部７２等を表示制御するようになっている。
【００３２】
ここで、図２にメインリモコン５０の外観図、図３に浴室リモコン７０の外観図を示す。
【００３３】
図２に示すように、メインリモコン５０には、前述した表示消灯スイッチ５３が設置され、この表示消灯スイッチ５３内には表示消灯ＬＥＤ５３１が配設されている。表示消灯ＬＥＤ５３１は、表示消灯スイッチ５３の設定状態に応じて点灯し、表示消灯ＬＥＤ５３１の点灯および消灯で表示消灯スイッチ５３の設定状態を識別できるようになっている。
【００３４】
メインリモコン５０のスイッチ５４は、複数の制御スイッチで構成されるものであり、本実施形態では、図２に示すように、ふろ自動スイッチ５４１、温度変更スイッチ５４２、運転モードスイッチ５４３、強制沸増スイッチ５４４、休止スイッチ５４５、時刻設定スイッチ５４６、予約スイッチ５４７等を備えている。
【００３５】
ふろ自動スイッチ５４１は貯湯ユニット１０に図示しない浴槽への湯張りを自動で行なわせる指令を行なうためのスイッチ、温度変更スイッチ５４２は給湯温度の設定値の上昇または下降を指令するスイッチ、運転モードスイッチ５４３はヒートポンプユニット２０による沸き上げモードの設定変更を指令するスイッチ、強制沸増スイッチ５４４はヒートポンプユニット２０を強制的に作動させる指令を行なうスイッチである。
【００３６】
また、休止スイッチ５４５はヒートポンプユニット２０による沸き上げの休止を指令するスイッチ、時刻設定スイッチ５４６は後述する表示部に表示される時刻の調整を指令するスイッチ、予約スイッチ５４７は貯湯ユニット１０による湯張りを設定時刻に完了させる指令を行なうためのスイッチである。
【００３７】
メインリモコン５０の表示部５２は、表示素子に蛍光表示管を採用しており、前述のスイッチ５４による設定状態や貯湯ユニット１０の貯湯量等が表示できるようになっている。
【００３８】
表示部５２は、図２に示すように、蛍光表示管により文字をセグメント表示させるセグメント表示部５２１と、蛍光表示管のドットマトリックスにより文字あるいは図を表示させるドットマトリックス表示部５２２とからなっている。本実施形態では、セグメント表示部５２１に運転モードスイッチ５４３による設定モード等を表示し、ドットマトリックス表示部５２２に時刻表示、給湯温度表示および貯湯量のバー表示等を行なうようになっている。
【００３９】
一方、図３に示すように、浴室リモコン７０のスイッチ７４は、複数の制御スイッチで構成されるものであり、本実施形態では、ふろ自動スイッチ７４１、呼出スイッチ７４２、足し湯スイッチ７４３、追い焚きスイッチ７４４等を備えている。
【００４０】
ふろ自動スイッチ７４１は貯湯ユニット１０に図示しない浴槽への湯張りを自動で行なわせる指令を行なうためのスイッチ、呼出スイッチ７４２は浴室から浴室外の人を呼ぶ呼出手段の作動を指令するスイッチ、足し湯スイッチ７４３は貯湯ユニット１０に図示しない浴槽への足し湯を指令するスイッチ、追い焚きスイッチ７４４は図示しない浴槽内の浴水の温度を設定温度まで加熱する指令を行なうスイッチである。
【００４１】
浴室リモコン７０の表示部７２は、表示素子に蛍光表示管を採用しており、前述のスイッチ７４による設定状態等が表示できるようになっている。表示部７２は、蛍光表示管により文字や図をセグメント表示させるものであり、本実施形態では、時刻表示、給湯温度表示および浴水水位等を表示するようようになっている。
【００４２】
ここで、メイン制御回路１１、制御回路２１、制御回路５１および制御回路７１からなる構成が、本実施形態における制御手段である。
【００４３】
次に、上記構成に基づき、本実施形態の制御手段の表示制御動作について説明する。
【００４４】
図４は、制御手段の概略表示制御動作を示すフローチャートである。制御手段は、まず、表示消灯スイッチ５３が操作されオン状態であるか否か判断する（ステップＳ１００）。表示消灯スイッチ５３がオン状態でないと判断した場合には、表示部５２および表示部７２を点灯して、例えば図２および図３に示すように通常表示する（ステップＳ２００）。
【００４５】
表示消灯スイッチ５３がオン状態であると判断した場合には、システム（給湯装置）が作動中であるか否か判断する（ステップＳ３００）。ここで、システムの作動とは、ヒートポンプユニット２０の沸き上げ作動、貯湯ユニット１０の給湯作動、湯張り作動、浴水加熱作動、およびスイッチ５４、７４の操作である。
【００４６】
システムが作動中であると判断した場合には、表示点灯ＬＥＤ５３１を点滅させ（ステップＳ４００）、表示部５２に作動している機能名（作動状況）を表示する（ステップＳ５００）。
【００４７】
例えば、ヒートポンプユニット２０が沸き上げ作動中であれば、図５に示すように、表示部５２のドットマトリックス表示部５２２に沸き上げ中である旨の表示を行なう。貯湯ユニット１０が給湯作動中であれば、図６に示すように、表示部５２のドットマトリックス表示部５２２に給湯中である旨の表示を行なう。また、スイッチ５４、７４の操作中であれば、スイッチ操作による設定変更内容を表示する。
【００４８】
このように、ステップＳ５００では、本体部１が作動状態にあるか、スイッチ操作により作動指令入力状態にある場合には、表示部５２にその旨の表示を行なう。
【００４９】
ステップＳ５００を実行したら、次に、システムの作動が停止したか否か判断し（ステップＳ６００）、システムの作動が停止したと判断した場合には、停止後所定時間経過したか否か判断する（ステップＳ７００）。
【００５０】
ステップＳ７００においてシステムが停止し所定時間経過したと判断した場合、およびステップＳ３００においてシステムが作動中でないと判断した場合には、表示部５２を消灯する（ステップＳ８００）。なお、ステップＳ８００では、表示消灯ＬＥＤ５３１を点灯状態とする。
【００５１】
ステップＳ６００においてシステムの作動が停止していないと判断した場合およびステップＳ７００において所定時間経過していないと判断した場合には、ステップＳ４００へリターンし、表示消灯ＬＥＤ５３１の点滅および表示部５２における作動している機能名の表示を継続する。
【００５２】
ここで、ステップＳ７００の判断基準である所定時間は、本例では５分としている。これは、システムの作動が断続的に発生した場合に、表示部５２の点灯状態（作動中機能名表示状態）と消灯状態とが頻繁に繰り返されることで使用者に不快感を与えることを防止するためである。
【００５３】
なお、本実施形態では、ステップＳ２００を実行しているときには、表示部７２を点灯して通常表示を行ない、ステップＳ３００〜Ｓ８００を実行しているときには、表示部７２を消灯している。
【００５４】
上述の構成および作動によれば、表示消灯スイッチ５３がオンされ省電力モードが設定されたときには、メインリモコン５０の表示部５２を、システム停止時（本体部１が作動状態になく、かつスイッチ操作により作動指令入力状態にない場合）は消灯し、システム作動中（本体部１が作動状態にあるか、スイッチ操作により作動指令入力状態にある場合）は作動中の機能名表示することができる。またこのとき、浴室リモコン７０の表示部７２を消灯することができる。
【００５５】
本実施形態の表示部５２、７２の表示素子として採用した蛍光表示管は、発光輝度が高く視認性に優れた素子であるが、カソードからアノードに放出される熱電子によって発光させるためカソードを常時加熱しておく必要がある。したがって、省電力モード設定時に、表示部５２で必要に応じた表示のみを行ない、表示部７２を消灯することで、消費電力を大幅に低減することが可能である。
【００５６】
また、表示消灯スイッチ５３がオンされ省電力モードが設定されているときに、システムが停止した場合には、所定時間後の両表示部５２、７２を消灯状態として、消費電力を確実に低減することができる。
【００５７】
また、上記システム作動中は、事前に表示消灯スイッチ５３がオンされていたときだけでなく、システム作動中に表示部５２に表示消灯スイッチ５３がオンされたときにも作動内容に応じた表示を行なうことができる。したがって、システムの作動内容を使用者等に確実に告知することができる。
【００５８】
また、表示消灯スイッチ５３がオンされ省電力モードが設定されたときには、省電力モードである旨の表示である表示消灯ＬＥＤ５３１を、システム停止時は点灯し、システム作動中は点滅させることができる。したがって、省電力モード設定下での表示部の表示もしくは消灯であることを使用者等に告知することができる。
【００５９】
（他の実施形態）
上記一実施形態では、表示消灯スイッチ５３がオンされ省電力モードが設定されたときには、浴室リモコン７０の表示部７２は常に消灯されるものであったが、メインリモコン５０の表示部５２と同様に、システム作動時にはその旨の表示を行なうものであってもよい。
【００６０】
また、上記一実施形態では、表示消灯スイッチ５３がオンされて省電力モードが設定され、かつシステムが作動中の場合には、表示部５２に作動中の機能名（例えば「沸き上げ中」等）を連続して表示するものであったが、通常表示と作動中の機能名の表示を交互に繰り返すものであってもよい。
【００６１】
また、上記一実施形態では、表示消灯スイッチ５３がオンされて省電力モードが設定され、かつシステムが作動中の場合に、表示部５２において表示する作動中の機能名を「沸き上げ中」「給湯使用中」と例示したが、使用者等に作動中の機能が告知可能であればこれに限定されるものではなく、作動中の機能を連想させる他の文字表示もしくは図表示であってもよい。
【００６２】
また、上記一実施形態では、表示消灯スイッチ５３内に省電力モードである旨の表示を行なうための表示消灯ＬＥＤ５３１を配設していたが、表示のための素子はＬＥＤに限定されるものではなく、配設位置も表示消灯スイッチ５３内に限定されるものではない。表示消灯スイッチ５３の設定状態を告知できるものであればよい。
【００６３】
また、上記一実施形態では、表示消灯スイッチ５３がオンされて省電力モードが設定され、かつシステムが作動中の場合には、表示部５２のドットマトリックス表示部５２２に作動中の機能名を表示するものであったが、これに限定されるものではない。例えば、ヒートポンプユニット２０が沸き上げ作動中である場合には、セグメント表示部５２１の「沸増し中」のの表示を点灯して作動中の機能を告知するものであってもよい。
【００６４】
また、上記一実施形態では、表示部５２、７２を蛍光表示管で構成していたが、これに限定されるものではない。消費電力が比較的大きな表示素子により形成される表示部であれば本発明による効果は大きい。例えば、表示部にプラズマディスプレイ等を備えた場合にも有効である。また、表示部５２、７２に限定されず、消費電力が比較的大きな表示素子を採用している表示機能部に本発明を適用しても有効である。
【００６５】
また、上記一実施形態では、図４に示すステップＳ７００における判断基準である所定時間を５分としていたが、これは例示であって、適宜設定し得るものである。また、作動していた機能に応じて所定時間を変更するものであってもよい。例えば、作動が断続的に繰り返される可能性がある給湯やスイッチ操作の場合には所定時間を長く設定し、作動が断続的に繰り返される可能性が少ない沸き上げの場合には所定時間を短く設定するものであってもよい。
【００６６】
また、上記一実施形態では、制御手段は、メイン制御回路１１、制御回路２１、制御回路５１および制御回路７１により構成され、分散配置されていたが、これに限定されるものではない。例えば、貯湯ユニット１０に設けられたメイン制御回路に全ての制御機能を集約し、このメイン制御回路が、ヒートポンプユニット２０、メインリモコン５０および浴室リモコン７０を直接制御するものであってもよい。
【００６７】
また、上記一実施形態では、給湯装置は、第１の遠隔制御手段としてのメインリモコン５０と、第２の遠隔制御手段としての浴室リモコン７０とを備えていたが、遠隔制御手段を複数備える給湯装置であれば、本発明を適用することが可能である。例えば、第２の遠隔制御手段として浴室リモコン７０以外に他のリモコンを備えるものであってもよい。
【００６８】
また、上記一実施形態では、給湯装置の加熱手段はヒートポンプユニット２０であったが、これに限定されるものではない。例えば、電熱装置等の加熱手段であってもよい。また、給湯装置は、湯を貯留するタイプでなくてもかまわない。
【図面の簡単な説明】
【図１】本発明の一実施形態における給湯装置の概略構成を示すブロック図である。
【図２】メインリモコン５０の外観図である。
【図３】浴室リモコン７０の外観図である。
【図４】制御手段の概略表示制御動作を示すフローチャートである。
【図５】表示部５２の表示例を示す図である。
【図６】表示部５２の表示例を示す図である。
【符号の説明】
１  本体部（給湯装置本体部）
１０  貯湯ユニット
１１  メイン制御回路（制御手段の一部）
２０  ヒートポンプユニット
２１  制御回路（制御手段の一部）
５０  メインリモコン（第１の遠隔制御手段）
５１  制御回路（制御手段の一部）
５２  表示部（第１の表示部）
５３  表示消灯スイッチ（省電力モード設定手段）
７０  浴室リモコン（第２の遠隔制御手段）
７１  制御回路（制御手段の一部）
７２  表示部（第２の表示部）
５３１  表示消灯ＬＥＤ（省電力モードである旨の表示）
【図１】
2004245557.tif 000003
【図２】
2004245557.tif 000004
【図３】
2004245557.tif 000005
【図４】
2004245557.tif 000006
【図５】
2004245557.tif 000007
【図６】
2004245557.tif 000008